(57)【特許請求の範囲】
【請求項１】
少なくとも、擬似接着剤層と剥離印刷層によって剥離可能に形成された配達確認を行なう配達票と、届け先を記載する貼付票とが平面上に配置された１パート形式の帳票であって、
外部装置と非接触で情報の授受を行う非接触ＩＣ媒体が設けられた非接触ＩＣ媒体票を備えたこと、
前記配達票，前記貼付票及び前記非接触ＩＣ媒体票の裏面の一部又は全面に、前記配送物に貼付可能な粘着剤層を備えたこと、
前記粘着剤層は、タック基材に形成されており、前記非接触ＩＣ媒体票は、前記非接触ＩＣ媒体票の基材と前記タック基材とによって非接触ＩＣ媒体包装体となること、及び、
前記非接触ＩＣ媒体票は、前記配達票に連接されており、前記非接触ＩＣ媒体包装体は、前記配達票に前記配送物への接着代を残して、前記粘着剤層が内側になるように折り返すことによって、前記配達票の裏面に接着されること、
を特徴とする非接触ＩＣ帳票。
【請求項２】
請求項１に記載の非接触ＩＣ帳票において、
前記非接触ＩＣ媒体包装体は、前記配達票から分離可能であること、
を特徴とする非接触ＩＣ帳票。
【請求項３】
請求項１又は請求項２に記載の非接触ＩＣ帳票において、
前記非接触ＩＣ媒体包装体は、前記非接触ＩＣ媒体票の基材に形成された剥離印刷層によって剥離可能であること、
を特徴とする非接触ＩＣ帳票。
【請求項４】
請求項３に記載の非接触ＩＣ帳票において、
前記非接触ＩＣ媒体包装体は、前記非接触ＩＣ媒体を取り出すことができること、
を特徴とする非接触ＩＣ帳票。
【発明の詳細な説明】
【０００１】
【発明の属する技術分野】
本発明は、非接触で外部と通信して、情報の記憶、処理を行う非接触型ＩＣ媒体を備えた非接触ＩＣ帳票とその使用方法に関するものである。
【０００２】
【従来の技術】
従来の帳票は、記入及びその複写による情報の他に、バーコードにより情報が管理されており、例えば、配送業務で使用される配送伝票は、このバーコードを読み取り、仕分け行程の自動化、配送物の管理等を行っていた。
しかし、バーコードを利用した従来の帳票では、扱える情報量が少なかった。また、情報の読みとりは、光学的な読み取り装置により行っていたので、バーコードと読み取り装置とを近づける必要があり、配送物の向きを合わせるなどの作業が必要であった。
【０００３】
これらの問題点を解決する手法として、コイルを通じて電磁誘導によりデータ通信を行う非接触型の情報処理媒体（以下、非接触ＩＣ媒体）を帳票に使用することが試みられている。
非接触ＩＣ媒体は、ＪＩＳやＩＳＯ等の規格に合致した形状のクレジットカード型、同形状をやや薄くしたプリペイドカード型、中〜長距離での通信を目的とし樹脂によりパッケージしたタグ型等、交通システムのゲートアクセス管理やＦＡ管理に用いられている。
【０００４】
図８は、従来の非接触ＩＣ媒体を示す図である。これらの非接触ＩＣ媒体１００は、少なくとも１つのコイル１１２とＩＣチップ１１１が接続されており、コイル１１２を通じて、図示しない外部の通信機器であるリーダ／ライタ（以下、Ｒ／Ｗ）より送出される交流電磁波の受信を行い、電力供給及び信号送受信を行い、Ｒ／Ｗ間との通信が行われている。なお、コイル１１２は、巻線コイルに限らず、導電インキなどを印刷したアンテナであってもよい（ＷＯ９９／６５００２等）。
【０００５】
【発明が解決しようとする課題】
しかし、前述した従来の非接触ＩＣ媒体を使用した帳票は、ＩＣチップの価格が高いために、帳票の価格も高かった。
また、帳票は、使い捨てされるので、高価な従来の非接触ＩＣ媒体を使用した帳票は、現実に使用できる分野が限られていた。特に、配送伝票等の物流管理用途では、コストが高いために、採用することができなかった。
【０００６】
本発明の課題は、低価格で配送伝票等の物流管理に使用することができる非接触ＩＣ帳票とその使用方法を提供することである。
【０００７】
【課題を解決するための手段】
前記課題を解決するために、請求項１の発明は、少なくとも、擬似接着剤層と剥離印刷層によって剥離可能に形成された配達確認を行なう配達票と、届け先を記載する貼付票とが平面上に配置された１パート形式の帳票であって、外部装置と非接触で情報の授受を行う非接触ＩＣ媒体が設けられた非接触ＩＣ媒体票を備えたこと、前記配達票，前記貼付票及び前記非接触ＩＣ媒体票の裏面の一部又は全面に、前記配送物に貼付可能な粘着剤層を備えたこと、前記粘着剤層は、タック基材に形成されており、前記非接触ＩＣ媒体票は、前記非接触ＩＣ媒体票の基材と前記タック基材とによって非接触ＩＣ媒体包装体となること、及び、前記非接触ＩＣ媒体票は、前記配達票に連接されており、前記非接触ＩＣ媒体包装体は、前記配達票に前記配送物への接着代を残して、前記粘着剤層が内側になるように折り返すことによって、前記配達票の裏面に接着されること、を特徴とする非接触ＩＣ帳票である。
【００１１】
請求項２の発明は、請求項１に記載の非接触ＩＣ帳票において、前記非接触ＩＣ媒体包装体は、前記配達票から分離可能であること、を特徴とする非接触ＩＣ帳票である。
【００１２】
請求項３の発明は、請求項１又は請求項２に記載の非接触ＩＣ帳票において、前記非接触ＩＣ媒体包装体は、前記非接触ＩＣ媒体票の基材に形成された剥離印刷層によって剥離可能であること、を特徴とする非接触ＩＣ帳票である。
【００１３】
請求項４の発明は、請求項３に記載の非接触ＩＣ帳票において、前記非接触ＩＣ媒体包装体は、前記非接触ＩＣ媒体を取り出すことができること、を特徴とする非接触ＩＣ帳票である。
【００１５】
【発明の実施の形態】
以下、図面等を参照しながら、本発明の実施の形態について、更に詳しく説明する。
（第１実施形態）
図１は、本発明による非接触ＩＣ帳票の第１実施形態を示す模式図、図２は、第１実施形態に係る非接触ＩＣ帳票１０の帳票基材とタック紙を分けて示した図である。
第１実施形態の非接触ＩＣ帳票１０は、図１（ａ）に示すように、配送物宅配業務で使用する１パート配送伝票を例にしたものであり、右側から順に、ＩＣタグ票１０Ａと、配達先で受領印をもらって配送業者が持ち帰り、配達確認を行うことができる配達票１０Ｂと、配送荷物（被着物）に貼付され、届け先が記載された荷札となる貼付票１０Ｃ等とが平面上に連接配置されている。
【００１６】
この非接触ＩＣ帳票１０は、図１（ｂ）に示すように、帳票基材１１の裏面に、 剥離印刷層１２、疑似接着剤層１３、ＩＣタグ（非接触ＩＣ媒体）１００Ａ、タック紙１４を順次積層して設けたものである。タック紙１４は、タック基材１４１と粘着剤層１４２とが積層され、粘着剤層１４２を保護するための剥離紙１４３が設けられている。
【００１７】
帳票基材１１は、配送必要事項を表示をするためのものであり、シート状、連続状又はロール状のものからなり、一般用紙、上質紙、感圧紙や感熱紙等の機能性用紙、複写用紙、クラフト紙、グラシン紙、パーチメント紙、レーヨン紙、コート紙、合成紙、樹脂フィルムによりラミネートされた紙等の紙が好適に用いられるが、セロファン、延伸ポリプロピレン、ポリエチレンテレフタレート（ＰＥＴ）、発泡ＰＥＴ、延伸ポリスチレン、ポリ塩化ビニル等の樹脂フィルムであってもよい。帳票基材１１の厚さは、通常、２０〜２００μｍ程度が好ましい。
【００１８】
剥離印刷層１２は、帳票基材１１の剥離される帳票部（ＩＣタグ票１０Ａ，配達票１０Ｂ）を、配送途中に又は再利用時に剥離可能とする層である。この剥離印刷層１２は、帳票基材１１の裏面の一部（剥離される帳票部）に、シリコーンアクリレートを主成分とするＵＶインキによって、パターン状にオフセット印刷、活版印刷等によって、厚さ、１．５〜１５μｍ程度に印刷されている。
【００１９】
ＩＣタグ１００Ａは、図６で説明した非接触ＩＣ媒体１００等を構成するチップ付きアンテナシートをＰＥＴフィルム等でラミネートした形態である。
【００２０】
疑似接着剤層１３は、帳票基材１１，剥離層１２の裏面に形成され、それらを疑似接着させるための層である。この疑似接着剤層１３は、ＵＶインキや、酢酸ビニル系樹脂、アクリル系樹脂、ポリウレタン系樹脂等の合成樹脂等を印刷又はコーティング等によって形成することができる。疑似接着剤層１３の厚さは、特に限定はされないが、通常３〜２０μｍ、好ましくは５〜１０μｍ程度である。
【００２１】
タック紙１４は、この帳票１０を配送荷物に貼付するための層である。タック基材１４１は、帳票基材１１と同様のものを使用することができる。粘着剤層１４２は、アクリル系接着剤、天然ゴム系接着剤、合成ゴム系接着剤、シリコーンゴム系接着剤などが好適に用いられる。粘着剤層１４２の塗布量・塗布厚は、特に限定されないが、好ましくは、塗布量は０．１〜５０ｇ／ｍ2 であり、塗布厚は０．１〜５０μｍである。配送物などの被着体に対する粘着剤層１４２の接着力は、剥離印刷層１２と疑似接着層１３との接着力よりも大きい必要があり、荷物等の被着体に応じて、適宜、調整するとよい。
【００２２】
剥離紙１４３は、粘着剤層１４２の下に配置されている用紙であり、使用前に、粘着剤層１４２を保護する層である。剥離紙１４３は、紙、織物、プラスチックフィルムなどから形成されており、この上面、すなわち、粘着剤層１４２の側の面には、シリコーン系離型剤などにより剥離処理がなされている。剥離紙１４３の厚さは、特に限定はされないが、通常２０〜２００μｍ、好ましくは４０〜１００μｍ程度である。
【００２３】
この非接触ＩＣ帳票１０は、図２（ａ１）に示すように、１パート（Ｐ）目の帳票基材１１には、ＩＣタグ票１０Ａと配達票１０Ｂとの境界線、及び、配達票１０Ｂと貼付票１０Ｃとの境界線に、第１ハーフカットｈｃ１が形成され、ＩＣタグ票１０Ａの上下の切取部ａの境界線に、第２ハーフカットｈｃ２が形成されている。
また、タック紙１４には、図２（ａ２）に示すように、ＩＣタグ票１０Ａの上下の切取部の境界線ａに、第２ハーフカットｈｃ２が形成され、配達票１０Ｂには、剥離紙１４３の上まで、ハーフミシンｈｍが形成されている。そして、ＩＣタグ票１０Ａには、疑似接着剤層１３の下に、ＩＣタグ１００Ａが貼付されている。
図２（ｂ１）は、帳票基材１１とタック紙１４とを、疑似接着剤層１３によって貼り合わせた状態を示しており、図２（ｂ２）は、その断面図を示してたものである。
【００２４】
図３は、第１実施形態に係る非接触ＩＣ帳票１０の使用方法を示す説明図である。
非接触ＩＣ帳票１０は、配達票１０Ｂや貼付票１０Ｃなどにプリンタによって必要事項を印字した後に、剥離紙１４３を剥して［図３（ａ）］、切取部ａを第１ハーフカットｈｃ１で除去して［図３（ｂ）］、ＩＣタグ票１０Ａの［Ａ］部分を、配達票１０Ｂの裏面に折り返した状態で、配送物３０に貼付する［図３（ｃ）］。従って、非接触ＩＣタグ票１０Ａは、配達票１０Ｂの裏面に背中合わせに接着される。このとき、配達票１０Ｂは、切取部ａを除いた接着代で配送物３０に貼付される。
【００２５】
運送会社の配達員は、配達を行なう際に、第１ハーフカットｈｃ１で配達票１０Ｂを剥し、配達先で受領印をもらった後に、配達票１０Ｂは、持ち帰って保管する［図３（ｄ）］。
併せて、配送物３０からＩＣタグ伝票（非接触ＩＣ媒体包装体）２０をハーフミシンｈｍにそって切り取って分離して、持ち帰る［図３（ｅ）］。
ＩＣタグ伝票２０は、持ち帰った後で、［Ａ］部分（帳票基材１１）と、［Ｂ］部分（配達票１０Ｂが剥離され、背中合わせに接着された２枚のタック基材１４１）とを、剥離印刷層１２によって剥離することによって、ＩＣタグ１００Ａを容易に取り出すことができ［図３（ｆ）］、リサイクルが可能となる。
また、受取人が不在の場合には、前記ＩＣタグ伝票（非接触ＩＣ媒体包装体）２０を切り取らずに、配達所へ持ち帰る。
【００２６】
以上のように、本実施形態は、配達票１０Ｂや貼付票１０Ｃ等が平面上に構成され、擬似接着剤層１３によって貼り合せされた１パート形式の配送伝票であって、その配送伝票の一部分に、非接触ＩＣタグ１００Ａを設けておくことによって、非接触で複数の配送物を同時に読み取ることができるので、作業の効率化が行なえる。
【００２７】
また、非接触ＩＣタグ１００Ａの回収が容易に行なえる形態となっているので、非接触ＩＣタグ１００Ａのリサイクルが可能となり、物流管理のコストダウンを図ることができる。
さらに、この実施形態を適用した配送伝票は、１パート形式となっているため、連続プリンタ（ＮＩＰ、サーマルプリンタ）や、カット紙プリンタ（レーザプリンタやインクジェットプリンタ等）での印字対応が可能であり、必要に応じて、配達票等を剥すこともできる。
【００２８】
（第２実施形態）
図４は、第２実施形態に係る非接触ＩＣ帳票１０−２の帳票基材とタック紙を分けて示した図、図５は、第２実施形態に係る非接触ＩＣ帳票１０−２の使用方法を示す説明図である。
なお、前述した実施形態と同様な機能を果たす部分には、末尾に共通した符号を付して、重複する説明を適宜省略する。
【００２９】
第２実施形態に係る非接触ＩＣ帳票１０−２は、図３（ａ１）に示すように、ＩＣタグ票１０Ａの［Ａ］部分の３方の剥離印刷層１２を除くようにしたものである。
このため、第２の実施形態では、ＩＣタグ伝票２０は、前述した３方の剥離印刷層１３が除かれた部分の疑似接着剤層１３によって、袋状になっている。
従って、持ち帰り後に、図４（ｆ）に示すように、その袋状となったＩＣタグ伝票２０から、ＩＣタグ１００Ａを抜き出すことにより、簡単に取り出すことが可能となった。
【００３０】
（変形形態）
以上説明した実施形態に限定されることなく、種々の変形や変更が可能であって、それらも本発明の均等の範囲内である。
（１）図６は、第１実施形態の［図１（ｂ）に対応する］の変形形態を示した図である。
この変形例は、剥離印刷層１３をタック紙１４側に設け、タック紙１４より上側に、剥離印刷層１２、疑似接着剤層１３、ＩＣタグ１００Ａ及び帳票基材１１を配置したものである。
【００３１】
（２）図７は、第２の実施形態の［図４（ｂ１），（ｂ２）に対応する）変形形態を示した図である。
第２実施形態では、ＩＣタグ伝票（非接触ＩＣ媒体包装体）２０を袋状体にするために、［Ａ］伝票の３方の剥離印刷層１２を除く例で説明したが、疑似接着剤層１３をコの字状にパターンコート（３方印刷）するようにしてもよい。
【００３２】
（３）本実施形態において、非接触ＩＣモジュールは、配送伝票に合わせた専用のサイズである形態を示したが、これに限らず、例えば、製造時の発行処理、リサイクル時の再発行、２次利用として、着払い等に使用する電子マネーとの併用を考慮した形態としてもよい。
【００３３】
（４）本実施形態において、ＩＣチップは、非接触による情報伝達をするのみである形態を示したが、これに限らず、例えば、接触機能と非接触機能とを併せ持つ接触／非接触共用ＩＣモジュールを使用してもよい。
【００３４】
（５）配送伝票の配置される伝票の数は、本実施形態に示した例に限らず、例えば、集配センター用の控え伝票等を更に設けてもよい。
【００３５】
（６）本実施形態において、配送伝票に本発明による非接触ＩＣ帳票を適用した例を示したが、これに限らず、例えば、工場内の部品管理伝票等に適用してもよい。
【００３６】
【発明の効果】
以上詳しく説明したように、本発明によれば、配達票や貼付票などが平面上に構成され、擬似接着剤層によって貼り合せされた１パート形式の帳票であって、その帳票の一部分に、非接触ＩＣ媒体票を設けておくことによって、非接触で複数の配送物を同時に読み取ることができるので、作業の効率化を図ることができる。
【００３７】
また、非接触ＩＣ媒体の回収が容易に行なえる形態となっているので、非接触ＩＣ媒体のリサイクルが可能となり、物流管理のコストダウンを図ることができる、等々の効果がある。
【図面の簡単な説明】
【図１】本発明による非接触ＩＣ帳票の第１実施形態を示す模式図である。
【図２】図２は、第１実施形態に係る非接触ＩＣ帳票１０の帳票基材とタック紙を分けて示した図である。
【図３】図３は、第１実施形態に係る非接触ＩＣ帳票１０の使用方法を示す説明図である。
【図４】第２実施形態に係る非接触ＩＣ帳票１０−２の帳票基材とタック紙を分けて示した図である。
【図５】図５は、第２実施形態に係る非接触ＩＣ帳票１０−２の使用方法を示す説明図である。
【図６】第１実施形態の［図１（ｂ）に対応する］の変形形態を示した図である。
【図７】第２の実施形態の［図４（ｂ１），（ｂ２）に対応する）変形形態を示した図である。
【図８】従来の非接触ＩＣ媒体を示す図である。
【符号の説明】
１０，１０−２  非接触ＩＣ帳票
１０Ａ  ＩＣタグ票
１０Ｂ  配達票
１０Ｃ  貼付票
１１  帳票基材
１２  剥離印刷層
１３  疑似接着剤層
１４  タック紙
１４１  タック基材
１４２  粘着剤層
１４３  剥離紙
１００Ａ  ＩＣタグ（非接触ＩＣ媒体）
【図１】
0004765172.tif 000002
【図２】
0004765172.tif 000003
【図３】
0004765172.tif 000004
【図４】
0004765172.tif 000005
【図５】
0004765172.tif 000006
【図６】
0004765172.tif 000007
【図７】
0004765172.tif 000008
【図８】
0004765172.tif 000009